【手続補正書】
【提出日】令和1年7月31日(2019.7.31)
【手続補正１】
【補正対象書類名】特許請求の範囲
【補正対象項目名】全文
【補正方法】変更
【補正の内容】
【特許請求の範囲】
【請求項１】
無線通信を行う通信部と、
リモート端末と基地局との間における、直接的な第１の無線リンクと、移動可能に構成されたリレー端末を介した第２の無線リンクと、のうち少なくともいずれかを含めた１以上の無線リンクについて通信品質に関する情報を取得し、取得した当該通信品質に関する情報に基づき、前記リモート端末と前記基地局との間の通信に利用する前記無線リンクを切り替える制御部と、
を備える、通信装置。
【請求項２】
前記第２の無線リンクについての前記通信品質に関する情報のうち、前記リモート端末と前記リレー端末との間の第３の無線リンクについての前記通信品質に関する情報は、所定の通信品質を具備しているか否かを評価するための第１の閾値と、所定の通信品質を具備しなくなったか否かを評価するための第２の閾値と、当該第３の無線リンクの前記通信品質に関する測定結果と、に基づく前記通信品質の推定結果に応じて取得される、請求項１に記載の通信装置。
【請求項３】
前記第１の閾値及び前記第２の閾値のうち少なくともいずれかは、前記基地局または前記リレー端末により設定される、請求項２に記載の通信装置。
【請求項４】
前記通信品質に関する測定のためのリソースは、前記基地局または前記リレー端末により設定される、請求項２または請求項３に記載の通信装置。
【請求項５】
前記通信装置は、前記リモート端末及び前記リレー端末のうちいずれか一方の通信端末であり、
前記制御部は、当該一方の通信端末とは異なる他方の通信端末から前記第３の無線リンクについての前記通信品質に関する情報を取得する、
請求項２乃至請求項４の何れか１項に記載の通信装置。
【請求項６】
前記通信装置は、前記リモート端末及び前記リレー端末のうちいずれか一方の通信端末であり、
前記制御部は、前記第３の無線リンクの前記通信品質を測定し、当該測定結果と、前記第１の閾値と、前記第２の閾値と、に基づく前記推定結果に応じて、当該第３の無線リンクについての前記通信品質に関する情報を取得する、請求項２乃至請求項４の何れか１項に記載の通信装置。
【請求項７】
前記制御部は、前記第３の無線リンクに関連付けられたリソースプールの通信品質を、時系列に沿って間欠的に測定し、当該測定結果に基づき当該第３の無線リンクの前記通信品質に関する情報を取得する、請求項６に記載の通信装置。
【請求項８】
前記制御部は、前記第３の無線リンクに関連付けられた複数の前記リソースプールそれぞれの通信品質を時分割で測定する、請求項７に記載の通信装置。
【請求項９】
前記通信装置は、前記基地局であり、
前記制御部は、前記リモート端末または前記リレー端末から、前記第３の無線リンクについての前記通信品質に関する情報を取得する、
請求項２乃至請求項４の何れか１項に記載の通信装置。
【請求項１０】
前記第２の無線リンクについての前記通信品質に関する情報のうち、前記リレー端末と前記基地局との間の第４の無線リンクについての前記通信品質に関する情報は、当該第４の無線リンクの前記通信品質に関する測定結果に基づき取得される、請求項１乃至請求項９の何れか１項に記載の通信装置。
【請求項１１】
前記通信装置は、前記リモート端末であり、
前記制御部は、前記第１の無線リンクの前記通信品質に関する第１の基準とは異なる第２の基準に基づき、前記第４の無線リンクの前記通信品質を判定することで、当該第４の無線リンクについての前記通信品質に関する情報を取得する、
請求項１０に記載の通信装置。
【請求項１２】
前記第２の基準は、前記第４の無線リンクの前記通信品質が劣化または向上したことが、前記第１の無線リンクの前記通信品質を判定する場合よりも小さい当該通信品質の変化に基づき判定されるように設定される、請求項１１に記載の通信装置。
【請求項１３】
前記第２の基準は、前記基地局により設定される、請求項１１または請求項１２に記載の通信装置。
【請求項１４】
前記制御部は、前記第２の基準を、前記第１の基準に基づき算出する、請求項１１または請求項１２に記載の通信装置。
【請求項１５】
前記通信装置は、前記リレー端末または前記基地局であり、
前記制御部は、前記第４の無線リンクの前記通信品質を測定することで、当該第４の無線リンクの前記通信品質に関する情報を取得する、
請求項１０に記載の通信装置。
【請求項１６】
前記通信装置は、前記リモート端末及び前記リレー端末のうちいずれか一方の通信端末であり、
前記制御部は、当該一方の通信端末とは異なる他方の通信端末から前記第４の無線リンクについての前記通信品質に関する情報を取得する、
請求項１０に記載の通信装置。
【請求項１７】
前記通信装置は、前記リレー端末であり、
前記制御部は、前記リモート端末と前記基地局との間の通信に利用する前記無線リンクを、第１のリレー端末を介した前記第２の無線リンクから、当該第１のリレー端末とは異なる第２のリレー端末を介した前記第２の無線リンクへ切り替える場合に、当該切り替えに関する要求が、前記第２のリレー端末に対して、直接的に、または、前記基地局を介して間接的に通知されるように制御する、
請求項１乃至請求項１６の何れか１項に記載の通信装置。
【請求項１８】
前記制御部は、
近傍に位置する他のリレー端末の探索結果に基づき前記第２のリレー端末が発見された場合に、前記切り替えに関する要求が、当該第２のリレー端末に対して直接的に通知されるように制御し、
前記第２のリレー端末が発見されない場合には、前記切り替えに関する要求が、前記基地局を介して間接的に当該第２のリレー端末に通知されるように制御する、
請求項１７に記載の通信装置。
【請求項１９】
無線通信を行う通信部と、
リモート端末と基地局との間における、直接的な第１の無線リンクと、移動可能に構成されたリレー端末を介した第２の無線リンクと、の少なくともいずれかについて、通信品質に関する情報を取得し、取得した当該通信品質に関する情報を、前記リモート端末と前記基地局との間の通信に利用する無線リンクを切り替える外部装置に対して直接的または間接的に通知する通知部と、
を備える、通信装置。
【請求項２０】
前記通信装置は前記リレー端末であり、
前記通知部は、取得した前記通信品質に関する情報を前記リモート端末に対して、直接的に、または、前記基地局を介して間接的に通知する、
請求項１９に記載の通信装置。
【請求項２１】
前記通信装置は前記リモート端末であり、
前記通知部は、取得した前記通信品質に関する情報を前記リレー端末に対して、直接的に、または、前記基地局を介して間接的に通知する、
請求項１９に記載の通信装置。
【請求項２２】
無線通信を行う通信部と、
リモート端末と基地局との間における、直接的な第１の無線リンクと、移動可能に構成されたリレー端末を介した第２の無線リンクと、のうち少なくともいずれかを含めた１以上の無線リンクの通信品質に関する情報に基づき、前記リモート端末と前記基地局との間の通信に利用する前記無線リンクを、第１のリレー端末を介した前記第２の無線リンクから、第２のリレー端末を介した前記第２の無線リンクへ切り替えることが決定された場合に、前記第１のリレー端末と前記第２のリレー端末との間の通信のためのリソースを割り当てる制御部と、
を備える、通信装置。
【請求項２３】
無線通信を行うことと、
コンピュータが、無線通信を介したリモート端末と基地局との間における、直接的な第１の無線リンクと、移動可能に構成されたリレー端末を介した第２の無線リンクと、のうち少なくともいずれかを含めた１以上の無線リンクについて通信品質に関する情報を取得し、取得した当該通信品質に関する情報に基づき、前記リモート端末と前記基地局との間の通信に利用する前記無線リンクを切り替えることと、
を備える、通信方法。
【請求項２４】
無線通信を行うことと、
コンピュータが、無線通信を介したリモート端末と基地局との間における、直接的な第１の無線リンクと、移動可能に構成されたリレー端末を介した第２の無線リンクと、の少なくともいずれかについて、通信品質に関する情報を取得し、取得した当該通信品質に関する情報を、前記リモート端末と前記基地局との間の通信に利用する無線リンクを切り替える外部装置に対して直接的または間接的に通知することと、
を含む、通信方法。
【請求項２５】
無線通信を行うことと、
コンピュータが、リモート端末と基地局との間における、直接的な第１の無線リンクと、移動可能に構成されたリレー端末を介した第２の無線リンクと、のうち少なくともいずれかを含めた１以上の無線リンクの通信品質に関する情報に基づき、前記リモート端末と前記基地局との間の通信に利用する前記無線リンクを、第１のリレー端末を介した前記第２の無線リンクから、第２のリレー端末を介した前記第２の無線リンクへ切り替えることが決定された場合に、前記第１のリレー端末と前記第２のリレー端末との間の通信のためのリソースを割り当てることと、
を含む、通信方法。